【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
所定の機能を有する電子回路を内蔵したケース本体部と、
少なくとも時刻情報を表示する表示部と、
前記ケース本体部に端部を係着され使用者の身体に着脱可能に固定装着されるバンド部と、
このバンド部に着脱可能に装着される機能モジュールと、から構成され、
前記バンド部は、前記電子回路と前記機能モジュールとを電気的に接続するため複数の接続構造を備えることを特徴とする携帯機器。
【請求項２】
前記ケース本体部は、前記電子回路と前記バンド部とを相互に結合する接続部を備え、
この接続部と前記バンド部は、前記ケース本体部にケースカバーを固定するための固定用ネジで電気的に接続されることを特徴とする請求項１記載の携帯機器。
【請求項３】
前記ケース本体部と前記バンド部とは、前記接続部に設けられた付勢部材により、接触付勢されていることを特徴とする請求項２記載の携帯機器。
【請求項４】
前記ケース本体部は、前記接続部からケース本体部内部への浸水を阻止する防水部材を備えることを特徴とする請求項３記載の携帯機器。
【請求項５】
前記バンド部は、前記機能モジュールと電気的に直接接続する複数の接続端子部を有し、
前記機能モジュールは、これらの接続端子部を直接接続するためのコネクタと、前記バンド部に固定する為の固定構造とをさらに有することを特徴とする請求項１に記載の携帯機器。
【請求項６】
前記機能モジュールは、前記電子回路部に対し自己を識別させるための識別情報を記憶する識別情報記憶手段を備え、
前記電子回路部は、前記端子部、及び接続構造を介して入力した各機能モジュールの識別情報を記憶管理する記憶管理手段をさらに備えたことを特徴とする請求項１記載の携帯機器。
【請求項７】
前記電子回路は、
前記識別情報に基づき前記バンド部に装着された機能モジュールの種別を識別する種別識別手段と、
この種別識別手段により識別された機能モジュールの種別を表示する種別表示手段と、
をさらに備えたことを特徴とする請求項１記載の携帯機器。
【請求項８】
前記識別情報に基づき接続された機能モジュールが前記電子回路、及び接続された他の機能モジュールに電源を供給する機能を有するものか否かを判断する第１の判断手段と、
この第１の判断手段によって、接続された他の機能モジュールが電源を供給する機能を有すると判断された場合に、供給される電源に関する情報と、少なくとも接続されている他の機能モジュールが消費する電源情報とを取得する情報取得手段と、
この情報取得手段により取得された情報に基づき、前記他の機能モジュールが正常に動作可能であるか否かを判断する第２の判断手段と、
この第２の判断手段による判断結果を報知する報知手段と、
をさらに備えることを特徴とする請求項６に記載の携帯機器。
【請求項９】
前記バンド部は複数の駒部材で構成され、該駒部材に前記機能モジュールが有する機能を内装させたことを特徴とする請求項１の携帯機器。
【請求項１０】
前記機能モジュールは、
少なくとも前記電子回路によって演算処理される各種情報を記憶する記憶手段を備えることを特徴とする請求項１に記載の携帯機器。
【請求項１１】
前記機能モジュールは、周囲の環境情報を検出する検出手段を備え、
前記電子回路は、
前記機能モジュールから周囲の環境情報を受信する環境情報受信手段と、
この受信手段によって受信された環境情報に基づいて前記表示部に表示すべき情報を生成し前記表示部に表示する環境表示制御手段と、
をさらに備えることを特徴とする請求項１に記載の携帯機器。
【請求項１２】
前記機能モジュールは、外部と無線通信を行う無線通信手段を備え、
前記電子回路は、
前記機能モジュールの無線通信手段により通信される通信内容を取得する通信内容取得手段と、
この通信内容取得手段によって取得される通信内容を前記表示手段に表示するよう制御する通信表示制御手段と、
をさらに備えることを特徴とする請求項１に記載の携帯機器。
【請求項１３】
前記機能モジュールは、
音声情報を入出力する音声情報入出力手段と、
前記音声情報入出力手段により入力された音声情報を通信内容に変換する変換手段と、
前記他の機能モジュールは、
前記変換手段によって変換された通信内容を無線通信手段によって外部へ出力する通信出力手段と、
をさらに備えることを特徴とする請求項１に記載の携帯機器。
【請求項１４】
前記機能モジュールは、前記通信内容取得手段によって取得された通信内容を音声出力する音声出力手段を有することを特徴とする請求項１２記載の携帯機器。
【請求項１５】
前記機能モジュールは、
画像を撮影する撮像手段と、
この撮像手段により撮像されたイメージを取得するイメージ取得手段と、
このイメージ取得手段によって取得されたイメージを前記表示手段に表示するよう制御する第４の表示制御手段と、
をさらに備えることを特徴とする請求項１に記載の携帯機器。
【請求項１６】
前記機能モジュールは、
音楽データが記憶された半導体メモリチップと、
音楽を再生する音楽再生出力手段と、を備え、
前記本体ケース部は、
複数のキー操作手段と、
この複数のキー操作手段によるキー操作に基づいて、前記音声情報出力手段を制御する音声情報制御手段と、
をさらに備えることを特徴とする請求項１に記載の携帯機器。
【手続補正２】
【補正対象書類名】明細書
【補正対象項目名】００１０
【補正方法】変更
【補正の内容】
【００１０】
前記課題を解決するために請求項１記載の発明にかかる携帯機器にあっては、所定の機能を有する電子回路（制御回路部６３、１６３、１０６３）を内蔵したケース本体部（本体ケース６、１６、３６、１０６）と、少なくとも時刻情報を表示する表示部（表示部６０、１６１、３７、１０６１）と、前記ケース本体部に端部を係着され使用者の身体に着脱可能に固定装着されるバンド部（リストバンド４、５、１４、１５、３４、３５、１０４、１０５）と、このバンド部に着脱可能に装着される機能モジュール（機能モジュール８０〜８４、８５〜８８、２１〜２５、３００〜３０５、１０７１、８６、２５、電源モジュール２６）と、から構成され、前記バンド部は、前記電子回路と前記機能モジュールとを電気的に接続するため複数の接続構造（接続端子９１〜９４、８００〜８０４、８０１〜８０４）を備えることを特徴とする。したがって、前記接続構造で外部の複数の機能と接続することにより、これらをケース本体部側の電子回路で制御することができる。これにより、実質的に当該携帯機器の多機能化を図ることができるとともに、多機能化を図っても、ケース本体部が大型化することがない。また、外部の機能をケース本体部側の機能回路で制御できることから、外部機能装置の構成が簡単化する。
【手続補正３】
【補正対象書類名】明細書
【補正対象項目名】００１１
【補正方法】変更
【補正の内容】
【００１１】
また、請求項２記載の発明にかかる携帯機器にあっては、請求項１に記載の発明において、前記ケース本体部は、前記電子回路と前記バンド部とを相互に結合する接続部（ｆｉｇ．４のレセプタクル６９）を備え、この接続部と前記バンド部は、前記ケース本体部にケースカバーを固定するための固定用ネジ（ｆｉｇ．４の固定用ネジ６７）で電気的に接続されることを特徴とする。したがって、本来はケースカバーを固定するための部材である固定用ネジを有効利用して、ケース本体部とバンド部とが電気的に接続される。
【手続補正４】
【補正対象書類名】明細書
【補正対象項目名】００１２
【補正方法】変更
【補正の内容】
【００１２】
また、請求項３記載の発明にかかる携帯機器にあっては、請求項１に記載の発明において、前記ケース本体部と前記バンド部とは、前記接続部に設けられた付勢部材（ｆｉｇ．４のバネ部材６５）により、接触付勢されていることを特徴とする。前記ケース本体部と前記バンド部とは、前記接続部に設けられた付勢部材により、接触付勢されている。したがって、外部から衝撃が加えられても、ケース本体部とバンド部との電気的接続状態が維持される。
【手続補正５】
【補正対象書類名】明細書
【補正対象項目名】００１３
【補正方法】変更
【補正の内容】
【００１３】
また、請求項４記載の発明にかかる携帯機器にあっては、請求項３に記載の発明において、前記ケース本体部は、前記接続部からケース本体部内部への浸水を阻止する防水部材（ｆｉｇ．１５Ｂの防水パッキン７１）を備えることを特徴とする。したがって、水侵入に伴うケース本体部とバンド部との電気的接続不良が防止される。
【手続補正６】
【補正対象書類名】明細書
【補正対象項目名】００１４
【補正方法】変更
【補正の内容】
【００１４】
また、請求項５記載の発明にかかる携帯機器にあっては、請求項１に記載の発明において、前記バンド部は、前記機能モジュールと電気的に直接接続する複数の接続端子部（例えば、ｆｉｇ．５Ａの接続端子９１〜９４）を有し、前記機能モジュールは、これらの接続端子部を直接接続するためのコネクタ（例えば、ｆｉｇ．６Ａの接続端子８００〜８０４：ｆｉｇ．１６、ｆｉｇ．１７の接続端子８０１〜８０４）と、前記バンド部に固定する為の固定構造（ｆｉｇ．６Ａ、６Ｂの８０〜８４）とをさらに有することを特徴とする。よって、バンド部に複数種の機能モジュールを装着することにより、当該携帯機器の多機能化を図ることができるとともに、多機能化を図っても、ケース本体部が大型化することがない。また、機能モジュールをケース本体部側の機能回路で制御できることから、機能モジュールの構成が簡単化する。
【手続補正７】
【補正対象書類名】明細書
【補正対象項目名】００１５
【補正方法】変更
【補正の内容】
【００１５】
また、請求項６記載の発明にかかる携帯機器にあっては、請求項１に記載の発明において、前記機能モジュールは、前記電子回路部に対し自己を識別させるための識別情報を記憶する識別情報記憶手段（ＲＯＭ８１６：ＲＯＭ１８１６〜１８２１）を備え、前記電子回路部は、前記端子部、及び接続構造を介して入力した各機能モジュールの識別情報を記憶管理する記憶管理手段（モジュール制御データメモリ１６６１に記憶されているテーブル１６６２〜１６７１）をさらに備えたことを特徴とする。したがって、バンド部に複数の機能モジュールを装着しても、これらをケース本体部側の電子回路で管理することができる。
【手続補正８】
【補正対象書類名】明細書
【補正対象項目名】００１６
【補正方法】変更
【補正の内容】
【００１６】
また、請求項７記載の発明にかかる携帯機器にあっては、請求項１に記載の発明において、前記識別情報に基づき前記バンド部に装着された機能モジュールの種別を識別する種別識別手段（制御回路部６３、１６３、１０６３）と、この種別識別手段により識別された機能モジュールの種別を表示する種別表示手段（表示部６０、１６１、３７、１０６１）と、をさらに備えたことを特徴とする。したがって、携帯機器のユーザは接続されている機能モジュールの種別を視認することができる。
【手続補正９】
【補正対象書類名】明細書
【補正対象項目名】００１７
【補正方法】変更
【補正の内容】
【００１７】
また、請求項８記載の発明にかかる携帯機器にあっては、請求項６に記載の発明において、前記識別情報に基づき接続された機能モジュールが前記電子回路、及び接続された他の機能モジュールに電源を供給する機能を有するものか否かを判断する第１の判断手段（制御回路部６３、１６３、ステップＳ１２０１）と、この第１の判断手段によって、接続された他の機能モジュールが電源を供給する機能を有すると判断された場合に、供給される電源に関する情報と、少なくとも接続されている他の機能モジュールが消費する電源情報とを取得する情報取得手段（ステップＳ１２０２〜Ｓ１２０８）と、この情報取得手段により取得された情報に基づき、前記他の機能モジュールが正常に動作可能であるか否かを判断する第２の判断手段（ステップＳ１２０９〜Ｓ１２１０）と、この第２の判断手段による判断結果を報知する報知手段（ステップＳ１２１１、Ｓ１２１３、Ｓ１２１５）と、をさらに備えることを特徴とする。したがって、携帯機器に電源機能モジュールと他の機能モジュールとを接続して使用した場合、接続されている電源機能モジュールから供給される電源のみで、他の機能モジュールを正常に動作可能であるか否かの判断がなされ、他の機能モジュールを正常に動作させるための対応処理の実行が可能となる。
【手続補正１０】
【補正対象書類名】明細書
【補正対象項目名】００１８
【補正方法】変更
【補正の内容】
【００１８】
また、請求項９記載の発明にかかる携帯機器にあっては、請求項１に記載の発明において、前記バンド部は複数の駒部材（ｆｉｇ．３２の４０３）で構成され、該駒部材に前記機能モジュールが有する機能を内装させたことを特徴とする。したがって、バンド部を構成する駒自体が機能を発生することから、バンド部に機能装置を装着した場合ように、バンド部からの突出が生ずることがない。
【手続補正１１】
【補正対象書類名】明細書
【補正対象項目名】００１９
【補正方法】変更
【補正の内容】
【００１９】
また、請求項１０記載の発明にかかる携帯機器にあっては、請求項１に記載の発明において、前記機能モジュール（８０、８１）は、少なくとも前記電子回路によって演算処理される各種情報を記憶する記憶手段を備えることを特徴とする。したがって、ケース本体部内に大容量の記憶手段を内蔵させる必要がなく、ケース本体部の大型化を抑制しつつ記憶容量の増大を図ることができる。
【手続補正１２】
【補正対象書類名】明細書
【補正対象項目名】００２０
【補正方法】変更
【補正の内容】
【００２０】
また、請求項１１記載の発明にかかる携帯機器にあっては、請求項１に記載の発明において、前記機能モジュール（８２〜８４、３０３〜３０５）は、周囲の環境情報を検出する検出手段（８３５、３５０）を備え、前記電子回路は、前記機能モジュールから周囲の環境情報を受信する環境情報受信手段（６３）と、この受信手段によって受信された環境情報に基づいて前記表示部に表示すべき情報を生成し前記表示部に表示する環境表示制御手段（６０、３７）とをさらに備えることを特徴とする。したがって、ケース本体部に簡単な構成のモジュールを接続することにより、周囲の環境情報の検出機能を付加して、携帯機器の多機能化を図ることができる。
【手続補正１３】
【補正対象書類名】明細書
【補正対象項目名】００２１
【補正方法】変更
【補正の内容】
【００２１】
また、請求項１２記載の発明にかかる携帯機器にあっては、請求項１に記載の発明において、前記機能モジュール（２３、２５、８５、８６、１０７１）は、外部と無線通信を行う無線通信手段（８５５、２０７、８５５）を備え、前記電子回路は、前記機能モジュールの無線通信手段により通信される通信内容を取得する通信内容取得手段（６３、１６３、１０６３）と、この通信内容取得手段によって取得される通信内容を前記表示手段に表示するよう制御する通信表示制御手段（６０、１６１、１０６１）と、をさらに備えることを特徴とする。したがって、ケース本体部に、無線通信手段のみを有する簡単な構成のモジュールを接続することにより、無線通信機能及び送受信される情報を管理する機能を付加して、携帯機器の多機能化を図ることができる。
【手続補正１４】
【補正対象書類名】明細書
【補正対象項目名】００２２
【補正方法】変更
【補正の内容】
【００２２】
また、請求項１３記載の発明にかかる携帯機器にあっては、請求項１に記載の発明において、前記機能モジュール（２５）は、音声情報を入出力する音声情報入出力手段（２１１）と、前記音声情報入出力手段により入力された音声情報を通信内容に変換する変換手段（２０２）と、前記他の機能モジュール（２３）は、前記変換手段によって変換された通信内容を無線通信手段によって外部へ出力する通信出力手段（２０７）と、をさらに備えることを特徴とする。
【手続補正１５】
【補正対象書類名】明細書
【補正対象項目名】００２３
【補正方法】変更
【補正の内容】
【００２３】
また、請求項１４記載の発明にかかる携帯機器にあっては、請求項１に記載の発明において、前記機能モジュール（２５）は、前記通信内容取得手段によって取得された通信内容を音声出力する音声出力手段（２１０）を有することを特徴とする。したがって、ケース本体部に、音声情報手段のみを有する簡単な構成のモジュールを接続することにより、音声情報入力機能及び入力された音声情報を管理する機能を付加して、携帯機器の多機能化を図ることができる。
【手続補正１６】
【補正対象書類名】明細書
【補正対象項目名】００２４
【補正方法】変更
【補正の内容】
【００２４】
また、請求項１５記載の発明にかかる携帯機器にあっては、請求項１に記載の発明において、前記機能モジュール（８６）は、画像を撮影する撮像手段（８６６、８６４）と、この撮像手段により撮像されたイメージを取得するイメージ取得手段（８６３）と、このイメージ取得手段によって取得されたイメージを前記表示手段に表示するよう制御する第４の表示制御手段（８６２、８１１）と、をさらに備えることを特徴とする。
【手続補正１７】
【補正対象書類名】明細書
【補正対象項目名】００２５
【補正方法】変更
【補正の内容】
【００２５】
また、請求項１６記載の発明にかかる携帯機器にあっては、請求項１に記載の発明において、前記機能モジュール（８７）は、音楽データが記憶された半導体メモリチップ（８７６）と、音楽を再生する音楽再生出力手段（８７１、８７２、８７３、８７４）と、を備え、前記本体ケース部は、複数のキー操作手段（６２）と、この複数のキー操作手段によるキー操作に基づいて、前記音声情報出力手段を制御する音声情報制御手段（６３）と、をさらに備えることを特徴とする。したがって、ケース本体部に、音声情報出力手段のみを有する簡単な構成のモジュールを接続することにより、音声情報を管理しつつ出力する機能を付加して、携帯機器の多機能化を図ることができる。
【手続補正１８】
【補正対象書類名】明細書
【補正対象項目名】００２６
【補正方法】削除
【補正の内容】
【手続補正１９】
【補正対象書類名】明細書
【補正対象項目名】０１９６
【補正方法】変更
【補正の内容】
【０１９６】
以上説明したように本発明は、所定の機能を有する電子回路を内蔵するケース本体部に端部を係着されたバンド部に、前記電子回路と外部の機能とを電気的に接続するため接続構造を複数設けるようにしたことから、外部の複数の機能と接続して、これらをケース本体部側の回路で制御することができる。これにより、実質的に当該携帯機器の多機能化を図ることができるとともに、多機能化を図っても、ケース本体部が大型化することがない。また、外部の機能をケース本体部側の機能回路で制御できることから、外部機能装置の構成が簡単化する。よって、腕時計等の身体の一部に装着される装置における本体の大型化を伴うことなく、構成の簡単化を図りつつ多機能化に対応することのできる。
【手続補正２０】
【補正対象書類名】明細書
【補正対象項目名】０１９７
【補正方法】変更
【補正の内容】
【０１９７】
また、ケース本体部とバンド部の接続部を、本体ケースのケースカバーを固定するための固定用ネジで固定するようにしたことから、本来はケースカバーを固定するための部材である固定用ネジを有効利用して、ケース本体部とバンド部とを接続することができる。
【手続補正２１】
【補正対象書類名】明細書
【補正対象項目名】０１９８
【補正方法】変更
【補正の内容】
【０１９８】
また、ケース本体部とバンド部とを接続部に設けられた付勢部材により、接触付勢するようにしたことから、外部から衝撃に強い接続構造を得ることができ、また、接続部に内部への水侵入を阻止する防水部材を備えるようにしたことから、水侵入に伴うケース本体部とバンド部との電気的接続不良を防止することができる。
【手続補正２２】
【補正対象書類名】明細書
【補正対象項目名】０１９９
【補正方法】変更
【補正の内容】
【０１９９】
また、本発明によれば、バンド部に複数種の機能モジュールを装着することにより、当該携帯機器の多機能化を図ることができるとともに、多機能化を図っても、ケース本体部が大型化することがない。また、機能モジュールをケース本体部側の機能回路で制御できることから、機能モジュールの構成を簡単化することができる。
【手続補正２３】
【補正対象書類名】明細書
【補正対象項目名】０２００
【補正方法】変更
【補正の内容】
【０２００】
また、機能モジュールが自己を識別させるための識別情報を記憶する識別情報記憶手段を備え、前記電子回路が入力された各機能モジュールの識別情報を管理する管理手段をさらに備えるようにしたことから、バンド部に複数の機能モジュールを装着しても、これらをケース本体部側の電子回路で適正に管理することができる。
また、識別情報に基づきバンド部に装着された機能モジュールの種別を識別して表示するようにしたことから、携帯機器のユーザは接続されている機能モジュールの種別を視認することができる。
また、接続された電源を供給する電源機能モジュールの供給電源情報と、所要の電源を必要とする他の機能モジュールの所要電源情報とを取得して、電源機能モジュールから供給される電源により、他の機能モジュールが正常に動作可能であるか否かを判断するようにしことから、携帯機器に電源機能モジュールと他の機能モジュールとを接続して使用した場合、接続されている電源機能モジュールから供給される電源のみで、他の機能モジュールを正常に動作可能であるか否かの判断がなされ、他の機能モジュールを正常に動作させるための対応処理の実行が可能となる。
また、バンド部を複数の駒部材で構成し、外部の機能を該駒部材に設けるよにしたことから、バンド部に機能装置を装着した場合ように、バンド部からの突出を生じさせることなく、バンド部を構成する駒自体から機能を発生させることができる。
【手続補正２４】
【補正対象書類名】明細書
【補正対象項目名】０２０１
【補正方法】変更
【補正の内容】
【０２０１】
また、前記外部の機能を少なくとも前記電子回路において演算制御される各種情報を補助的に記憶する記憶手段としたことから、ケース本体部内に大容量の記憶手段を内蔵させる必要がなく、ケース本体部の大型化を抑制しつつ記憶容量の増大を図ることができる。
【手続補正２５】
【補正対象書類名】明細書
【補正対象項目名】０２０２
【補正方法】変更
【補正の内容】
【０２０２】
また、外部の機能を、周囲の環境情報を検出する検出手段、携帯機器外部と無線通信を行う無線通信手段、撮像手段、音声情報入力手段、音声情報出力手段、着脱可能に接続される外部記憶装置に格納された情報を管理する管理手段等とし、これら手段をケース本体部で制御するようにしたことから、これら各手段のみを備える簡単な構成のモジュールにより、ケース本体部の大型化を伴うことなく、各手段に応じた機能の付加が可能となる。また、前記外部記憶装置に格納された情報が楽音情報であることにより、この音楽情報を管理しつつ、再生して出力する機能を付加することができる。